【手続補正書】
【提出日】平成20年8月7日(2008.8.7)
【手続補正１】
【補正対象書類名】特許請求の範囲
【補正対象項目名】全文
【補正方法】変更
【補正の内容】
【特許請求の範囲】
【請求項１】
無線スペクトル商品の取引または交換の方法であって：
一つまたは複数の無線スペクトル資産の二次市場取引の機能をもつ電子交換プラットフォームによって、
潜在的取得者（acquiror）から、前記プラットフォーム上でリースによって取引可能な第一の資産を取得するビッドを受領し、前記潜在的取得者がビッドする前記第一の資産を選択するのは、現在取得可能として前記プラットフォームによって、あるいは前記プラットフォームに対して前に指定された資産に対するビッドのみに制約されることなく、
前記プラットフォーム上で取引可能な第二の資産の現在の保有者から、少なくとも前記第二の資産をリースするオファーを受領し、前記第二の資産をリースする前記オファーを記述する情報をデータベース中に保存し、前記オファー情報の検索を許容するよう検索機能を潜在的な相対者たちに提供し、
前記検索機能を使ってトランザクションを指定した潜在的な相対者と前記第二の資産の現在の保有者／提供者との間で交渉メッセージを通信して、該トランザクションの条件の交渉を許容し、
電子オークション・プラットフォームによって、民間部門当事者によって保有される少なくとも第三の無線スペクトル資産を、同時多重ラウンド・プロトコルのもとで遂行される二次市場オークションでオークションにかけ、
前記資産の潜在的なトランザクションに関係する決定をするために当事者に有用なリアルタイムの金融データを通信する、
ステップを含む方法。
【請求項２】
一つまたは複数の無線スペクトル資産の取引のための電子交換プラットフォームが、潜在的取得者から、前記プラットフォーム上で取引可能な資産に対するビッドを受領するステップを有しており、前記潜在的取得者がビッドする前記資産を選択するのは、現在取得可能として前記プラットフォームによって、あるいは前記プラットフォームに対して前に指定された資産に対するビッドのみに制約されない、方法。
【請求項３】
前記電子交換プラットフォーム上で手配される取引の少なくとも一つが無線スペクトル資産の二次市場でのリースである、請求項２記載の方法。
【請求項４】
前記資産の少なくとも一つを取得するビッドを、前記資産を売却またはリースするオファーと付け合わせ、
前記潜在的取得者と、指定されたトランザクションに関連付けられた当事者との間で交渉メッセージを通信し、前記トランザクションの条件の交渉を許容する、
ステップをさらに有する、請求項２記載の方法。
【請求項５】
前記潜在的取得者が潜在的な購入者であり、前記プラットフォームによって容易にされる取引が売却による移転を含む、請求項２記載の方法。
【請求項６】
前記潜在的取得者が潜在的な借り手であり、前記プラットフォームによって容易にされる取引がリースによる移転を含む、請求項２記載の方法。
【請求項７】
ビッドする資産が前記潜在的取得者によって、少なくとも部分的に地理的位置の指定に基づいて選択される、請求項２記載の方法。
【請求項８】
前記無線スペクトル資産に対応するトランザクションに関係する条件に関連した文書を求める段階をさらに有しており、前記文書が、前記トランザクションに関連した当事者によってアクセスされることができるように保存される、請求項２記載の方法。
【請求項９】
リースまたは購入によって一つまたは複数の無線スペクトル資産を取得するオファーを保存するよう設計されたデータベースと、
潜在的取得者から、前記プラットフォーム上で取引可能な資産についてのビッドを受領するよう設計されたコンピュータ・ハードウェアおよび／またはソフトウェアとを有する交換プラットフォームであって、前記潜在的取得者がビッドする前記資産を選択するのは、現在取得可能として前記プラットフォームによって、あるいは前記プラットフォームに対して前に指定された資産に対するビッドのみに制約されない、交換プラットフォーム。
【請求項１０】
代替的なトランザクション・プロトコルとして、無線スペクトル資産を、同時多重ラウンド・プロトコルのもとで遂行される二次市場オークションでオークションにかけるよう設計された、当該プラットフォーム内のハードウェアおよび／またはソフトウェアをさらに有する、請求項９記載の交換プラットフォーム。
【請求項１１】
前記資産の潜在的なトランザクションに関係する決定をするために前記潜在的取得者に有用なリアルタイムの金融データを通信するよう設計されたハードウェアおよび／またはソフトウェアをさらに有する、請求項９記載の交換プラットフォーム。
【請求項１２】
前記データベースが、購入によって資産を取得するオファーおよびリースによって資産を取得するためのオファーの両方を保存するよう設計されている、請求項９記載の交換プラットフォーム。
【請求項１３】
前記データベースが、資産を購入するオファーおよび資産を売却するオファーを保存するよう設計されている、請求項９記載の交換プラットフォーム。
【請求項１４】
前記データベースがさらに、少なくとも一つのタワーまたは少なくとも一つのタワースペース割り当てのトランザクションに関連した情報を保存するよう設計されている、請求項９記載の交換プラットフォーム。
【請求項１５】
当該交換プラットフォームに関連した活動を規制機関がモニタリングするためのアクセスを提供するよう設計されたコンピュータ・ハードウェアおよび／またはソフトウェアと、
規制のプロセスを通じて無線スペクトル資産のトランザクションを迅速化することにおいて支援するよう設計されたコンピュータ・ハードウェアおよび／またはソフトウェアとをさらに有する、
請求項９記載の交換プラットフォーム。
【請求項１６】
一つまたは複数の無線スペクトル資産の二次市場取引の機能をもつ電子交換プラットフォームによって、
前記プラットフォーム上で取引可能な資産の現在の保有者から、前記資産をリースするオファーを受領し、
少なくとも一の潜在的な借り手に前記オファーのことを通知するステップを含む、
方法。
【請求項１７】
リースするオファーの検索を許容するよう検索機能を潜在的な相対者たちに提供し、
前記検索機能を使ってリース・トランザクションを指定した潜在的な相対者と指定されたリース・トランザクションに関連付けられた当事者との間で交渉メッセージを通信して、該トランザクションの条件の交渉を許容するステップをさらに含む、
請求項１６記載の方法。
【請求項１８】
電子オークション・プラットフォームによって、無線スペクトル資産に対するリース権を、同時多重ラウンド・プロトコルのもとで遂行される二次市場オークションでオークションにかけるステップをさらに有する、請求項１６記載の方法。
【請求項１９】
前記検索機能が、前記リースに従属すべき（to  be  subject  to  the  lease）資産の一つまたは複数の地理的指示（geographic  indication）による検索を提供する、請求項１６記載の方法。
【請求項２０】
現在無線スペクトルを保有している当事者からの、前記スペクトルを潜在的な借り手にリースする二次市場オファーを保存するよう設計されたデータベースと、
一または複数の潜在的な借り手に前記オファーのことを通知し、前記潜在的な借り手のうちの一または複数から前記オファーに応答する返答を受領するよう設計されたコンピュータ・ハードウェアおよび／またはソフトウェアとを有する、
交換プラットフォーム。
【請求項２１】
前記スペクトルの潜在的なトランザクションに関係する決定をするために、前記保有者当事者および／または潜在的な借り手に有用なリアルタイムの金融データを通信するよう設計されたハードウェアおよび／またはソフトウェアをさらに有する、請求項２０記載の交換プラットフォーム。
【請求項２２】
潜在的取得者から、前記プラットフォーム上で取引可能な資産についてのビッドを受領するよう設計されたコンピュータ・ハードウェアおよび／またはソフトウェアをさらに有する、請求項２０記載の交換プラットフォームであって、前記潜在的取得者がビッドする前記資産を選択するのは、現在取得可能として前記プラットフォームによって、あるいは前記プラットフォームに対して前に指定された資産に対するビッドのみに制約されない、交換プラットフォーム。
【請求項２３】
前記データベースが、購入によって資産を取得するためのオファーおよびリースによって資産を取得するためのオファーの両方を保存するよう設計されている、請求項２０記載の交換プラットフォーム。
【請求項２４】
前記データベースが、資産を購入するオファーおよび資産を売却するオファーを保存するよう設計されている、請求項２０記載の交換プラットフォーム。
【請求項２５】
前記データベースがさらに、少なくとも一つのタワーまたは少なくとも一つのタワースペース割り当ての提案されるトランザクションに関連した情報を保存するよう設計されている、請求項２０記載の交換プラットフォーム。
【請求項２６】
無線スペクトル商品の取引または交換の方法であって：
一つまたは複数の無線スペクトル資産の二次市場取引の機能をもつ電子交換プラットフォームによって、
少なくとも一つの無線スペクトル資産の潜在的なトランザクションを記述する情報をデータベースに保存し、前記潜在的なトランザクション情報の検索を許容するよう検索機能を潜在的な相対者たちに提供し、
前記検索機能を使ってトランザクションを指定した潜在的な相対者と指定されたトランザクションと関連付けられた当事者との間で交渉メッセージを通信して、該トランザクションの条件の交渉を許容する、
ステップを有する方法。
【請求項２７】
電子オークション・プラットフォームによって、前記当事者によって保有される前記無線スペクトル資産の一つまたは複数を、同時多重ラウンド・プロトコルのもとで遂行されるオークションでオークションにかけるステップをさらに有する、
請求項２６記載の方法。
【請求項２８】
指定されたトランザクションに関係する決定をするために前記当事者または相対者に有用なリアルタイムの金融データを通信するステップをさらに有する、請求項２６記載の方法。
【請求項２９】
前記検索機能が、前記トランザクションに従属すべき（to  be  subject  to  the  transaction）資産の一つまたは複数の地理的指示（geographic  indication）による検索を提供する、請求項２６記載の方法。
【請求項３０】
前記潜在的取得者が潜在的な購入者であり、前記プラットフォームによって容易にされる取引が売却による移転を含む、請求項２６記載の方法。
【請求項３１】
前記取得者が潜在的な借り手であり、前記プラットフォームによって容易にされる取引がリースによる移転を含む、請求項２６記載の方法。
【請求項３２】
前記データベースが、購入によって資産を取得するためのオファーおよびリースによって資産を取得するためのオファーの両方を保存するよう設計されている、請求項２６記載の方法。
【請求項３３】
前記データベースが、資産を購入するオファーおよび資産を売却するオファーを保存するよう設計されている、請求項２６記載の方法。
【請求項３４】
前記データベースがさらに、少なくとも一つのタワーまたは少なくとも一つのタワースペース割り当ての提案されるトランザクションに関連した情報を保存するよう設計されている、請求項２６記載の方法。
【請求項３５】
無線スペクトル商品の取引または交換のための交換プラットフォームであって：
少なくとも一つの無線スペクトル資産の潜在的なトランザクションを記述する情報を可触的な記憶媒体に保存し、前記潜在的なトランザクションの検索機能を潜在的な相対者たちに提供するよう設計されたデータベースと、
前記検索機能によって指定されたトランザクションに従事したい相対者間でメッセージを通信して該トランザクションの条件の交渉を許容するよう設計された交渉通信ハードウェアおよび／またはソフトウェアとを有する、
交換プラットフォーム。
【請求項３６】
潜在的取得者から、前記プラットフォーム上で取引可能な資産についてのビッドを受領するよう設計されたハードウェアおよび／またはソフトウェアを有する、請求項３５記載の交換プラットフォームであって、前記潜在的取得者がビッドする前記資産を選択するのは、現在取得可能として前記プラットフォームによって、あるいは前記プラットフォームに対して前に指定された資産に対するビッドのみに制約されず、前記検索機能はさらに前記ビッドにオファーを付け合わせるよう設計されている、交換プラットフォーム。
【請求項３７】
前記潜在的なトランザクションの少なくとも一部は、無線スペクトル資産をリースするための提案されたトランザクションである、
請求項３５記載の交換プラットフォーム。
【請求項３８】
電子オークション・プラットフォームによって、一または複数の民間部門当事者によって保有される無線スペクトル資産の二次市場オークションを、同時多重ラウンド・プロトコルのもとで遂行されるオークションで遂行するステップを有する方法。
【請求項３９】
潜在的取得者から、オークションに出されるべき、前記プラットフォーム上で取引可能な資産についてのビッドを受領するステップをさらに有する、請求項３８記載の方法であって、前記潜在的取得者が前記ビッドの前記資産主題（asset  subject）を選択するのは、現在取得可能として前記プラットフォームによって、あるいは前記プラットフォームに対して前に指定された資産に対するもののみに制約されない、方法。
【請求項４０】
オークションにかけられる資産は、民間部門当事者によって現在保有される無線スペクトル資産のリースである、請求項３８記載の方法。
【請求項４１】
オークションにかけられる資産の少なくとも一つを取得するビッドを、オークションにかけられる資産を売却またはリースするオファーと付け合わせ、
前記潜在的取得者と指定されたトランザクションに関連付けられた当事者との間で交渉メッセージを通信し、前記トランザクションの条件の交渉を許容する、
ステップをさらに有する、請求項３８記載の方法。
【請求項４２】
前記資産の一つまたは複数の潜在的なトランザクションに関係する決定をするために、前記民間部門当事者にあるいは前記オークションにおける入札者に有用なリアルタイムの金融データを通信するステップをさらに有する、請求項３８記載の方法。
【請求項４３】
一つまたは複数の無線スペクトル資産の二次市場取引の機能をもつ電子交換プラットフォームによって、
前記プラットフォーム上で取引可能な少なくとも一つの無線スペクトル資産のトランザクションへの潜在的な相対者の間でメッセージを通信し、
前記資産の潜在的なトランザクションに関係する決定をするために、前記当事者に有用なリアルタイムの金融データを通信するステップをさらに有する方法。
【請求項４４】
前記トランザクションの少なくとも一つは潜在的取得者から受領される前記プラットフォーム上で取引可能な資産についてのビッドであり、前記潜在的取得者がビッドする資産を選択するのは、現在取得可能として前記プラットフォームによって、あるいは前記プラットフォームに対して前に指定された資産に対するビッドのみに制約されることがない、請求項４３記載の方法。
【請求項４５】
前記電子交換プラットフォーム上で手配される取引の少なくとも一つが民間当事者によって保有されている無線スペクトル資産の二次市場でのリースである、請求項４３記載の方法。
【請求項４６】
ビッドする資産が前記潜在的取得者によって、少なくとも部分的に地理的位置の指定に基づいて選択される、請求項４３記載の方法。
【請求項４７】
一つまたは複数の無線スペクトル資産の二次市場取引のために、注文を付け合わせ、あるいは注文の検索を許容するよう設計された電子交換プラットフォームを有する交換プラットフォームであって、前記電子交換プラットフォームは：
少なくとも一つの無線スペクトル資産のトランザクションへの潜在的な相対者の間でメッセージを通信し、
前記資産の潜在的なトランザクションに関係する決定をするために、前記当事者に有用なリアルタイムの金融データを通信するよう設計された、
ハードウェアおよび／またはソフトウェアを含む、交換プラットフォーム。
【請求項４８】
請求項４７記載の交換プラットフォームであって、さらに：
前記資産のうちの少なくとも一つを取得するビッドをオークションにかけられた資産を売却またはリースするオファーに付け合わせるよう設計されたハードウェアおよび／またはソフトウェアと、
前記潜在的取得者と、指定されたトランザクションに関連付けられた当事者との間で交渉メッセージを通信し、前記トランザクションの条件の交渉を許容するよう設計された、
ハードウェアおよび／またはソフトウェアとをさらに有する、交換プラットフォーム。
【請求項４９】
前記民間部門当事者のうちの一または複数によって保有される無線スペクトル資産を、同時多重ラウンド・プロトコルのもとで遂行される二次市場オークションでオークションにかけるよう設計された、当該プラットフォーム内のハードウェアおよび／またはソフトウェアをさらに有する、
請求項４７記載の交換プラットフォーム。
【請求項５０】
オファーを付け合わせ、あるいは購入によって資産を取得するためのオファーおよびリースによって資産を取得するためのオファーの両方の検索を許容するよう設計されたハードウェアおよび／またはソフトウェアをさらに有する、請求項４７記載の交換プラットフォーム。
【請求項５１】
資産を購入する注文および資産を売却する注文を付け合わせ、あるいは注文の検索を許容するよう設計されたハードウェアおよび／またはソフトウェアをさらに有する、請求項４７記載の交換プラットフォーム。
【請求項５２】
少なくとも一つのタワーまたは少なくとも一つのタワースペース割り当ての提案されるトランザクションに関連した情報を保存するよう設計されているハードウェアおよび／またはソフトウェアをさらに有する、請求項４７記載の交換プラットフォーム。